(57)【要約】【課題】プラズマディスプレイ装置等の映像表示装置において、落下等の衝撃によるパネル割れを防止する映像表示装置を提供する。【解決手段】前面パネル２と背面パネル４とが対向した状態で封止部材３により接着された表示パネル１と、背面パネル４に面状接合された金属シャーシ５と、表示パネル１および金属シャーシ５を内包する筐体７と、筐体７に形成された開口部９と、開口部９を覆うように筐体７に配置された前面保護パネル８と、前面保護パネル８と前面パネルとの間に配置された伸縮部材１０と、金属シャーシを筐体に取り付ける取り付け部材６とを備える。伸縮部材１０を伸縮させることが可能な切り替え部材１１を備え、切り替え部材１１は、伸縮部材１０を伸張させて前面保護パネル８と表示パネル１との間を封する伸張状態と、伸縮部材１０を圧縮させて前面保護パネル８から離した圧縮状態との２つの状態を切り替え可能とする。【選択図】図３
2010060909.tif 000002
【特許請求の範囲】
【請求項１】
前面パネルと背面パネルとを有し、前記前面パネルの主面と前記背面パネルの主面とが対向した状態で外縁を封止部材により接着された表示パネルと、
前記背面パネルにおける前記前面パネルと接着された面の裏面に面状接合された金属シャーシと、
前記表示パネルおよび前記金属シャーシを内包する筐体と、
前記筐体に形成され、前記表示パネルの有効領域を規定する開口部と、
前記開口部を覆うように前記筐体に配置された前面保護パネルと、
前記前面保護パネルと前記前面パネルとの間に配置された伸縮部材と、
前記金属シャーシを前記筐体に取り付ける取り付け部材とを備えた映像表示装置において、
前記伸縮部材を伸縮させることが可能な切り替え部材を備え、
前記切り替え部材は、前記伸縮部材を伸張させて前記前面保護パネルと前記表示パネルとの間を封する伸張状態と、前記伸縮部材を圧縮させて前記前面保護パネルから離した圧縮状態との２つの状態を切り替え可能とすることを特徴とする映像表示装置。
【請求項２】
前面パネルと背面パネルとを有し、前記前面パネルの主面と前記背面パネルの主面とが対向した状態で外縁を封止部材により接着された表示パネルと、
前記背面パネルにおける前記前面パネルと接着された面の裏面に面状接合された金属シャーシと、
前記表示パネルおよび前記金属シャーシを内包する筐体と、
前記筐体に形成され、前記表示パネルの有効領域を規定する開口部と、
前記開口部周辺の筐体と前記前面パネルとの間に配置された伸縮部材と、
前記金属シャーシを前記筐体に取り付ける取り付け部材とを備えた映像表示装置において、
前記伸縮部材を伸縮させることが可能な切り替え部材を備え、
前記切り替え部材は、前記伸縮部材を伸張させて前記前面保護パネルと前記表示パネルとの間を封する伸張状態と、前記伸縮部材を圧縮させて前記前面保護パネルから離した圧縮状態との２つの状態を切り替え可能とすることを特徴とする映像表示装置。
【請求項３】
前記封止部材の内側端部の前記前面パネルへの投影部が、前記前面パネルの前記伸縮部材と接する領域内に位置する請求項１または２に記載の映像表示装置。
【請求項４】
前記切り替え部材は、前記伸縮部材と接着した板状部材を有する請求項１〜３のいずれか一項に記載の映像表示装置。
【請求項５】
前記切り替え部材は、複数のリブと、
前記筐体に配置された前記リブを固定する固定部材とを有し、
前記固定部材により、前記伸縮部材の前記伸張状態と前記圧縮状態の少なくとも一つの状態が固定される請求項３記載の映像表示装置。
【請求項６】
前記切り替え部材は、弾性体を有し、
前記弾性体は、前記固定部材が前記リブを固定していない状態において、前記伸縮部材を、前記伸張状態と前記圧縮状態のうち前記固定部材により固定されない側の状態に固定する請求項５記載の映像表示装置。
【請求項７】
請求項１〜６のいずれか一項に記載の映像表示装置を運搬する方法であって、
運搬時および保管時には、前記伸縮部材を前記圧縮状態にし、
使用時には、前記伸縮部材を前記伸張状態にする映像表示装置の運搬方法。
【発明の詳細な説明】
【技術分野】
【０００１】
本発明は、プラズマディスプレイ装置等の映像表示装置、特に、落下等の衝撃によるパネル割れを防止する映像表示装置およびその運搬方法に関する。
【背景技術】
【０００２】
図１１は、一般的なプラズマディスプレイ装置の断面図であり、図１２は、図１１の部分拡大図であり、表示パネル１０１を詳細に示している。表示パネル１０１は、前面パネル１０２と背面パネル１０４と封止部材１０３とを有する。前面パネル１０２と背面パネル１０４は、それぞれの主面の縁部に配置された封止部材１０３により接着され、封止部材１０３の厚さの分だけ隔てられている。金属シャーシ１０５は、機械的剛性と熱伝導性の双方が良好なアルミニウム等で形成されている。金属シャーシ１０５には、背面パネル１０４の前面パネル１０２との接合面の裏面が、熱伝導性の高い両面テープ（図示せず）を介して面状に接着されている。金属シャーシ１０５は、取り付け部材１０７を介して、筐体１０８の内部に固定されている。表示パネル１０１から発せられる光は、筐体１０８の前面開口部１１０の内側に取り付けられた強化ガラス製等の前面保護パネル１０９を透過して出力される。前面保護パネル１０９と表示パネル１０１との間隙には、防塵のためのスポンジ１０６が配置されている。
【０００３】
このような構成のプラズマディスプレイ装置において、特に輸送中における落下等の衝撃により、パネル破損（パネル割れ）が生じる可能性がある。パネル割れは、前面保護パネル１０９が下面となり落下する場合に発生しやすい。図１３は、前面保護パネル１０９が鉛直下向きとなり落下衝撃時におけるプラズマディスプレイ装置の部分断面図である。金属シャーシ１０５が撓み、それに従い前面パネル１０２および背面パネル１０４が撓む。前面パネル１０２が撓むことにより、前面パネル１０２にパネル割れ１１１が生じる。パネル割れ１１１は、特に、図１３に示すように、前面パネル１０２における封止部材１０３の内側端部近傍を起点とする場合が多い。
【０００４】
このパネル割れを防止する映像表示装置が提案されている（例えば、特許文献１参照）。図１４および図１５は、パネル割れを防止することができる映像表示装置の構成を示す断面図である。なお、図１１と同様の構成要素については同一の符号を付して説明を省略する。弾性支持体１２１は、前面保護パネル１０９を前後に移動可能に支持している。図１４において、前面保護パネル１０９は保護部材１２２に押圧されて、表示パネル１０１と接触している。このため、落下時に表示パネル１０１が撓みにくくなる。また、図１５に示すように、フィルター保護部材１２２が取り除かれると、前面保護パネル１０９は、弾性支持体１２１により、所定の位置に戻される。
【特許文献１】特開２００２−１３２１７１号公報
【発明の開示】
【発明が解決しようとする課題】
【０００５】
しかしながら、上記構成の映像表示装置では、保護部材１２２を前面保護パネル１０９に直接押し当てるため、輸送中の振動等により、全面保護パネル１０９および表示パネル１０１に接触キズ等が発生するという問題がある。
【０００６】
本発明は、上記課題を解決するためになされたものであり、プラズマディスプレイ装置等の映像表示装置において、落下等の衝撃によるパネル割れを防止する映像表示装置およびその運搬方法を提供することを目的とする。
【課題を解決するための手段】
【０００７】
本発明の第１の映像表示装置は、前面パネルと背面パネルとを有し、前記前面パネルの主面と前記背面パネルの主面とが対向した状態で外縁を封止部材により接着された表示パネルと、前記背面パネルにおける前記前面パネルと接着された面の裏面に面状接合された金属シャーシと、前記表示パネルおよび前記金属シャーシを内包する筐体と、前記筐体に形成され、前記表示パネルの有効領域を規定する開口部と、前記開口部を覆うように前記筐体に配置された前面保護パネルと、前記前面保護パネルと前記前面パネルとの間に配置された伸縮部材と、前記金属シャーシを前記筐体に取り付ける取り付け部材とを備える。上記課題を解決するために、前記伸縮部材を伸縮させることが可能な切り替え部材を備え、前記切り替え部材は、前記伸縮部材を伸張させて前記前面保護パネルと前記表示パネルとの間を封する伸張状態と、前記伸縮部材を圧縮させて前記前面保護パネルから離した圧縮状態との２つの状態を切り替え可能とすることを特徴とする。
【０００８】
本発明の第２の映像表示装置は、前面パネルと背面パネルとを有し、前記前面パネルの主面と前記背面パネルの主面とが対向した状態で外縁を封止部材により接着された表示パネルと、前記背面パネルにおける前記前面パネルと接着された面の裏面に面状接合された金属シャーシと、前記表示パネルおよび前記金属シャーシを内包する筐体と、前記筐体に形成され、前記表示パネルの有効領域を規定する開口部と、前記開口部周辺の筐体と前記前面パネルとの間に配置された伸縮部材と、前記金属シャーシを前記筐体に取り付ける取り付け部材とを備える。上記課題を解決するために、前記伸縮部材を伸縮させることが可能な切り替え部材を備え、前記切り替え部材は、前記伸縮部材を伸張させて前記前面保護パネルと前記表示パネルとの間を封する伸張状態と、前記伸縮部材を圧縮させて前記前面保護パネルから離した圧縮状態との２つの状態を切り替え可能とすることを特徴とする。
【０００９】
本発明の映像表示装置の運搬方法は、上記記載の映像表示装置を運搬する方法であって、運搬時および保管時には、前記伸縮部材を前記圧縮状態にし、使用時には、前記伸縮部材を前記伸張状態にする。
【発明の効果】
【００１０】
本発明によれば、プラズマディスプレイ装置等の映像表示装置において、表示パネルと保護パネル間の伸縮部材を圧縮させることにより、落下等の衝撃によるパネル割れを防止する映像表示装置およびその運搬方法を提供することができる。
【発明を実施するための最良の形態】
【００１１】
本発明の映像表示装置は、上記構成を基本として、種々の態様をとることができる。
【００１２】
すなわち、前記封止部材の内側端部の前記前面パネルへの投影部が、前記前面パネルの前記伸縮部材と接する領域内に位置する構成にすることもできる。この構成により、伸縮部材が圧縮状態である場合に、前面パネルのパネル割れが生じやすい封止部材の内側端部近傍に掛かる力を分散することができる。このため、パネル割れを防止することができる。
【００１３】
また、前記切り替え部材は、前記伸縮部材と接着した板状部材を有する構成にすることもできる。この構成により、伸縮部材を均等に圧縮状態にすることができ、内側端部近傍に掛かる力を均等に分散することができる。
【００１４】
また、前記切り替え部材は、複数のリブと、前記筐体に配置された前記リブを固定する固定部材とを有し、前記固定部材により、前記伸縮部材の前記伸張状態と前記圧縮状態の少なくとも一つの状態が固定される構成にすることができる。さらに、前記切り替え部材は、弾性体を有し、前記弾性体は、前記固定部材が前記リブを固定していない状態において、前記伸縮部材を、前記伸張状態と前記圧縮状態のうち前記固定部材により固定されない側の状態に固定する構成にしてもよい。この構成により、容易に伸縮部材の状態（伸張状態、圧縮状態）を保つことができる。
【００１５】
以下、本発明の実施の形態について、図面を参照しながら説明する。
（実施の形態）
図１は、本発明の実施の形態に係る映像表示装置の構成を示す斜視図である。本実施の形態では、映像表示装置としてプラズマディスプレイ装置を例に説明する。図２は、図１のＡ−Ａ断面図（台座部の図示は省略）である。図３および図４は、図２における表示パネル１の端部における拡大図であり、図３は伸縮部材１０が圧縮された状態を示し、図４は伸縮部材１０が伸張された状態を示す。なお、図２において、表示パネル１の詳細な構成の図示を省略している。また、図２において、向かって左側を前、右側を後と称す。
【００１６】
図３および図４に示すように、本実施の形態に係る映像表示装置は、表示パネル１が接着された金属シャーシ５が取り付け部材６を介して筐体７に固定されている。さらに、表示パネル１と前面保護パネル８との間に配置された伸縮部材１０は、切り替え部材１１により、圧縮伸張される。以下、本実施の形態に係る映像表示装置についての構成を詳細に説明する。
【００１７】
まず、図３に示すように、伸縮部材１０が圧縮された状態について説明する。表示パネル１は、前面パネル２と背面パネル４と封止部材３とを有する。前面パネル２と背面パネル４は、それぞれの主面の縁部に配置された封止部材３を介して接着され、封止部材３の高さの分だけ隔てられている。前面パネル２および背面パネル４としては、ガラス基板などが用いられる。封止部材３により形成される前面パネル２と背面パネル４との間の密閉空間には、ＮｅやＸｅなどの希ガスが注入されている。この密閉空間に電界が印加されると、発光する。前面パネル２にパネル割れが生じると、この密閉空間から希ガスが逃げ、あるいはこの密閉空間が減圧されている場合には、密閉空間に空気が入り表示パネル１が発光しなくなる。
【００１８】
背面パネル４の前面パネル２との接着面の裏面は、熱伝導性の高い両面テープ（図示せず）により、金属シャーシ５と面状に接着されている。金属シャーシ５は、機械的剛性と熱伝導性の双方が良好なアルミニウムなどで形成されている。金属シャーシ５の表示パネル１との接合面の裏面には、表示パネル１を制御する半導体チップを搭載した電気回路基板（図示せず）が取り付けられている。金属シャーシ５は、取り付け部材６を介して筐体７に固定されている。
【００１９】
筐体７は、表示パネル１の前方に、表示パネル１に平行に配置された前面筐体７ａと、表示パネル１の後方に配置された背面筐体７ｃと、前面筐体７ａと背面筐体７ｃとを結合する側面筐体７ｂとを有する。前面筐体７ａには、表示パネル１の有効領域（画像を構成するための領域）から発せられた光が透過するように、開口部９が形成されている。前面保護パネル８は、強化ガラス、プラスティックなどで形成され、前面筐体７ａの内側に開口部９を塞ぐように配置されている。
【００２０】
伸縮部材１０は、前面保護パネル８と表示パネル１の前面との間に配置されている。伸縮部材１０は、伸縮性があればよく、例えばウレタン、シリコンゴム、スポンジを用いることができる。特に、スポンジなど通気性のあるものが好ましい。伸縮部材１０に通気性があれば、前面保護パネル８と表示パネル１との間の空間の温度が上昇し、空気が膨張しても、膨張した空気がその空間から逃げることができる。このため、気圧の上昇による表示パネル１を撓ませることはない。
【００２１】
前面保護パネル８と表示パネル１との間の空間により、表示パネル１が、熱変形あるいは映像表示装置の落下により撓んだ場合にも、表示パネル１と前面保護パネル８とが接触しないため、表示パネル１に傷がつかない。また、この空間により、ＥＭＩ（電磁妨害）を防止することができる。
【００２２】
伸縮部材１０の前面保護パネル８側の端面は、切り替え部材１１に接着さている。図５は、切り替え部材１１の構成を示す斜視図である。切り替え部材１１は、表示パネル１の有効領域に応じて形成された開口部を有する平板状の板状部材１２と、板状部材１２の四隅に板状部材１２平面に対して垂直方向に延びたリブ１３とを有する。リブ１３は、図３に示すように、背面筐体７ｃに設けられた孔部１５から突出し、突出した部分にねじ山（図示せず）が形成されている。リブ１３のねじ山が形成された部分は、ナットで構成された固定部材１４により背面筐体７ｃに固定される。板状部材１２における板状部材平面の内側部分に伸縮部材１０が配置されている。リブ１３を操作することにより、板状部材１２が伸縮部材１０を伸縮させることができる。
【００２３】
図６は、前面パネル２の前方側から見た平面図である。封止部材領域３１は、前面パネル２の背面に封止部材３が配置されている領域の前面パネル２の前方側への投影領域（破線３２と実線との間の領域）である。封止部材領域内端部３２は、封止部材領域３１の内側の端部の位置である。伸縮部材領域３３は、伸縮部材１０が配置されている領域（内側の破線と実線との間の領域）である。図６に示すように、伸縮部材領域３３内に、封止部材領域内端部３２が位置している。
【００２４】
図３において、伸縮部材１０は、切り替え部材１１により圧縮されている。伸張部材１０は、比例限界を超えて圧縮されると弾性係数が増加する。この状態において、映像表示装置に落下衝撃が加わると、前面パネル２が撓む。前面パネル２が撓むことにより、前面パネル２の封止部材領域内端部３２（図６参照）近傍に力が加わる。しかし、封止部材領域内端部３２近傍には、弾性係数が高くなった伸縮部材１０が位置しており、そのため撓み量が低減され、封止部材領域内端部３２近傍に掛かる力が伸縮部材領域３３に分散する。これにより、封止部材領域内端部３２近傍におけるパネル割れを防止することができる。
【００２５】
次に、図４に示すように、伸縮部材１０が伸張された状態について説明する。図３の状態からリブ１３から固定部材１４が外され、リブ１３が筐体７内に（矢印Ａ向きに）押し込まれることにより、板状部材１２が前面保護パネル８に接し、伸縮部材１０が伸張される。伸縮部材１０が伸張されることにより、表示パネル１と前面保護パネル８との間の空間が封される。このため、この空間に埃が侵入することを防ぐことができる。
【００２６】
したがって、映像表示装置を運搬時および保管時には伸縮部材１０を圧縮状態にし、使用時には伸縮部材１０を伸張状態とすることにより、落下時のパネル割れ防止と、表示パネル１と前面保護パネル８との間の空間に埃が侵入することの防止との両方の効果を得ることができる。
【００２７】
次に、伸縮部材１０を伸縮させる機構について詳細に説明する。上述したように、伸縮部材１０は、筐体７から突出した部分のリブ１３を筐体７内に操作者が押し込むことにより、圧縮した状態から伸張した状態に切り替わる。筐体７の外観をよくするため、背面筐体７ｃに形成されたリブ１３が突出するための孔部１５を塞ぐ蓋体を設けてもよい。この構成により、プラズマディスプレイ装置を運搬した（伸縮部材１０が圧縮状態）後に使用する状態（伸縮部材１０が伸張状態）に変えることができる。
【００２８】
なお、板状部材１２と前面筐体７ａとの間にバネを配置してもよい。伸縮部材１０が伸張状態である場合の板状部材１２と前面筐体７ａとの長さよりバネの自然長を短くすると、リブ１３から固定部材１４を取り外すことにより、リブ１３が筐体７内に入り込み、伸張部材１０が伸張状態となる。
【００２９】
また、伸縮部材１０が伸張状態である場合の板状部材１２と前面筐体７ａとの長さよりバネの自然長を長い構成にしてもよい。この場合、リブ１３に力が加わらなければ、バネの応力により伸縮部材１０が圧縮状態となる。孔部１５を塞ぐ蓋体に突起を設け、その突起を孔部１５に差し込むことにより、リブ１３を筐体１４内に押し込み、伸縮部材１０を伸張状態とすることができる。また、蓋体を外すと、バネの応力により、伸縮部材１０を圧縮状態とすることができる。
【００３０】
図７は、背面筐体７ｃおよび蓋体１８の構成を示す断面図である。蓋体１８は、蓋体凸部１９と蓋体凹部２０とを有する。また、背面筐体７ｃに筐体凹部２１が形成されている。図７（ａ）に示すように、孔部１５と蓋体凹部２０とが一直線上となるように蓋体１８を背面筐体７ｃに配置する。このとき、筐体凹部２１には、蓋体凸部１９が嵌め込まれる。この状態で、リブ１３は蓋体凹部２０に到達し、伸縮部材１０は圧縮状態となる。
【００３１】
一方、図７（ｂ）に示すように、蓋体凸部１９が孔部１５に嵌め込まれた状態となるように蓋体１８を配置する。このとき、筐体凹部２１と蓋体凹部２０とが一直線上に配置される。この状態で、リブ１３は蓋体凸部１９により押し込まれ、伸縮部材１０は伸張状態となる。
【００３２】
この構成により、蓋体１８の位置を替えることにより、伸縮部材１０を簡単に伸張状態と圧縮状態とに切り替えることができる。このため、プラズマディスプレイ装置を使用した（伸縮部材１０が伸張状態）後において、故障などによりプラズマディスプレイ装置を運搬する必要が生じても、伸縮部材１０を圧縮状態にすることができる。さらに、蓋体１８の位置を替えるだけであるので、外観を損なうこともない。
【００３３】
伸縮部材１０の切り替え機構は、上記態様以外に種々の態様がある。図８、図９は、切り替え部材１１の他の構成を示すプラズマディスプレイ装置の断面図である。図８に示すように、板状部材１２ｂとリブ１３ｂがＬ字形状に形成された切り替え部材１１ｂが配置されている。板状部材１２ｂに伸縮部材１０が取り付けられている。リブ１３ｂは、側面筐体７ｂに設けられた孔部１５ｂを貫通したネジ１６により筐体７に固定されている。前面筐体７ａと切り替え部材１１ｂのＬ字の伸縮部材１０が取り付けられている側との間にばね１７が配置されている。この状態で伸縮部材１０は、圧縮状態である。
【００３４】
図９に示すように、図８に示す状態からネジ１６を取り去ると、ばね１７の応力により切り替え部材１１ｂが前面筐体７ａ側に（矢印Ｂ向きに）前面保護パネル８と接するまで移動する。切り替え部材１１ｂの移動に伴い、伸縮部材１０は伸張され、前面保護パネル８と表示パネル１との間の空間を封する。
【００３５】
図１０に示す側面筐体７ｂを有する伸縮部材１０の切り替え機構は、図８に示す構成の変形例である。図１０は、図８における矢印Ｃ方向から見た平面図である。図１０に示す切り替え機構において、図８に示す孔部１５ｂが長孔である長孔部１５ｃとなっている。他の構成は、図８に示す機構と同様である。この機構は、ネジ１６を締めることにより、切り替え部材１１ｂの位置を固定することができ、伸縮部材１０の状態を保つことができる。また、ネジ１６を緩めることにより、切り替え部材１１ｂ（図９参照）が移動可能となり、伸縮部材１０（図９参照）の状態を変えることができる。
【００３６】
以上のように、本実施の形態に係る映像表示装置において、運搬時には伸縮部材を圧縮状態にして衝撃によるパネル割れを防ぎ、使用時には伸縮部材を伸張状態にして前面保護パネル８と表示パネル１との間に埃が侵入することを防ぐことができる。
【００３７】
なお、本実施の形態として、開口部に前面保護パネルを備えた映像表示装置を例に説明したが、前面保護パネルは必ずしも必要ではない。例えば、前面保護パネルがなく、開口部９周辺の前面筐体７ａと伸縮部材１０との間に切り替え部材１１を配置する構成とすることができる。この構成においても、運搬時にはパネル割れを防ぎ、使用時には筐体７と表示パネル１との間に埃が侵入することを防ぐことができる。さらに、映像表示装置を薄く形成することができる。
【産業上の利用可能性】
【００３８】
本発明は、輸送時の落下等によるパネルの割れを防止することができ、プラズマディスプレイ装置等の映像表示装置として利用可能である。
【図面の簡単な説明】
【００３９】
【図１】本発明の実施の形態に係るプラズマディスプレイ装置の斜視図
【図２】実施の形態に係るプラズマディスプレイ装置の断面図
【図３】実施の形態に係るプラズマディスプレイ装置における伸縮部材が圧縮された状態を示す断面図
【図４】実施の形態に係るプラズマディスプレイ装置における伸縮部材が伸張された状態を示す断面図
【図５】実施の形態に係るプラズマディスプレイ装置における切り替え部材の構成を示す斜視図
【図６】実施の形態に係るプラズマディスプレイ装置における前面パネルの構成を示す平面図
【図７】実施の形態に係るプラズマディスプレイ装置における蓋体の構成を示す断面図
【図８】実施の形態に係るプラズマディスプレイ装置の別の構成における伸縮部材が圧縮された状態を示す断面図
【図９】実施の形態に係るプラズマディスプレイ装置の別の構成における伸縮部材が伸張された状態を示す断面図
【図１０】実施の形態に係るプラズマディスプレイ装置のさらに別の構成における側面筐体の構成を示す平面図
【図１１】従来のプラズマディスプレイ装置の構成を示す断面図
【図１２】従来のプラズマディスプレイ装置の構成を示す拡大断面図
【図１３】従来のプラズマディスプレイ装置における落下衝撃時の断面図
【図１４】従来のプラズマディスプレイ装置の別の構成を示す断面図
【図１５】従来のプラズマディスプレイ装置の別の構成を示す断面図
【符号の説明】
【００４０】
１  表示パネル
２  前面パネル
３  封止部材
４  背面パネル
５  金属シャーシ
６  取り付け部材
７  筐体
７ａ  前面筐体
７ｂ  側面筐体
７ｃ  背面筐体
８  前面保護パネル
９  開口部
１０  伸縮部材
１１、１１ｂ  切り替え部材
１２、１２ｂ  板状部材
１３、１３ｂ  リブ
１４  固定部材
１５、１５ｂ  孔部
１５ｃ  長孔部
１６  ネジ
１７  ばね
１８  蓋体
１９  蓋体凸部
２０  蓋体凹部
２１  筐体凹部
３１  封止部材領域
３２  封止部材領域内端部
３３  伸縮部材領域
【図１】
2010060909.tif 000003
【図２】
2010060909.tif 000004
【図３】
2010060909.tif 000005
【図４】
2010060909.tif 000006
【図５】
2010060909.tif 000007
【図６】
2010060909.tif 000008
【図７】
2010060909.tif 000009
【図８】
2010060909.tif 000010
【図９】
2010060909.tif 000011
【図１０】
2010060909.tif 000012
【図１１】
2010060909.tif 000013
【図１２】
2010060909.tif 000014
【図１３】
2010060909.tif 000015
【図１４】
2010060909.tif 000016
【図１５】
2010060909.tif 000017